(57)【特許請求の範囲】
【請求項１】
記憶媒体からデータを読み出し再生する再生部と、前記再生部により再生される記憶媒体のトラックの設定をトラックナンバとして選択入力するためのトラックナンバキーと、前記トラックの設定を現在のトラックから次のトラックに移行するためのスキップキーと、前記トラックナンバキー及び前記スキップキーが同時に入力操作されると、前記トラックの設定を現在のトラックから選択入力されたトラックに移行させ、この移行過程において両トラックの間の各トラックの一部のセクタを順次再生させる再生制御部とを具備することを特徴とするデータ再生装置。
【請求項２】
記憶媒体からデータを読み出し再生する再生部と、前記記憶媒体のトラックのうち再生すべきトラックを選択入力するためのトラック切り替えキーと、前記トラック切り替えキーを通じて前記トラックが選択入力されると、再生すべきトラックを現在のトラックから選択入力されたトラックに移行させ、この移行過程において両トラックの間の各トラックの一部のセクタを順次再生させる間引き再生機能を有する再生制御部とを具備することを特徴とするデータ再生装置。
【請求項３】
請求項１又は２記載のデータ再生装置において、前記再生制御部は、前記トラックの一部のセクタを再生させる場合に、そのトラックの内容が容易に把握することが可能な時間だけ前記トラックの一部のセクタを再生させるようになっていることを特徴とするデータ再生装置。
【発明の詳細な説明】
【０００１】
【発明の属する技術分野】
本発明は、ＤＶＤ（Ｄｅｇｉｔａｌ  Ｖｅｒｓａｔｉｌｅ  Ｄｉｓｃ）、ＣＤ（Ｃｏｍｐａｃｔ  Ｄｉｓｃ）  等の記憶媒体を再生するデータ再生装置に関する。
【０００２】
【従来の技術】
従来のデータ再生装置には、特開平４ー２５８８４７号公報に開示されているＣＤに記憶された複数の曲のイントロ部分だけを再生させるディスク再生装置のようなものがある。このディスク再生装置は、ディスクの再生時に、操作キーに含められたイントロキーが操作されると、イントロサーチモードに移行し、ディスクに記憶された複数の曲の先頭部分を一定期間づつ順次再生するようになっている。
【０００３】
【発明が解決しようとする課題】
しかしながら上記のようなディスク再生装置では、基本的にディスクに記憶された全曲をイントロ再生させるようになっていることから、ＤＶＤのようにトラック数の多い記憶媒体では、サーチする対象が多くなってしまい目的とするものを探すのに長時間かかる場合があり、この点で不便である。
【０００４】
本発明は、上記事情に鑑みて創案されたものであって、その目的は、トラック数の多い記憶媒体であっても、目的とするものを短時間でサーチができるようにしたデータ再生装置を提供することにある。
【０００５】
【課題を解決するための手段】
本発明は、記憶媒体からデータを読み出し再生する再生部と、前記再生部により再生される記憶媒体のトラックの設定をトラックナンバとして選択入力するためのトラックナンバキーと、前記トラックの設定を現在のトラックから次のトラックに移行するためのスキップキーと、前記トラックナンバキー及び前記スキップキーが同時に入力操作されると、前記トラックの設定を現在のトラックから選択入力されたトラックに移行させ、この移行過程において両トラックの間の各トラックの一部のセクタを順次再生させる再生制御部とを具備することを特徴とする。
【０００６】
【発明の実施の形態】
以下、本発明の実施の形態を図面を参照して説明する。図１は本発明の実施の形態に係るデータ再生装置のブロック図、図２は同データ再生装置のマイコンにより処理される間引き再生モード割り込みプログラムのフローチャートである。
【０００７】
図１に示すように、本発明の実施の形態に係るデータ再生装置Ａは、ＤＶＤ５００からデータを読み出し再生する再生部１００と、ＤＶＤ５００を回転させる駆動部２００と、再生部１００により再生させるトラック５１０の設定をトラックナンバ５１００として選択入力するためのトラックナンバキー３１０と、トラック５１０の設定を現在のトラック５１０から次のトラック５１０に移行するためのスキップキー３２０と、トラックナンバキー３１０及びスキップキー３２０が同時に入力操作されると、トラック５１０の設定を現在のトラック５１０から選択入力されたトラック５１０に移行させ、この移行過程において両トラック５１０の間の各トラック５１０の一部のセクタを順次再生させる再生制御部４００とを備なえている。なお、図１において、再生部１００及び駆動部２００を制御する制御回路等については、図示省略されている。以下各部を詳しく説明する。説明の便宜上、ＤＶＤ５００は、５１１〜５１５の合計５つのトラック５１０を有しているものとし、トラック５１１〜５１５にはトラックナンバ５１０１〜５１０５が付されているものとする。
【０００８】
再生部１００は、光ピックアップを有しており、この光ピックアップは、再生すべきトラック５１０に移行してデータを読み出し信号に生成する。再生部１００は、前記読み出し信号を再生制御部４００に出力する。
【０００９】
トラックナンバキー３１０は、データ再生装置Ａのパネルの面上及び図外のリモートコントロール装置の面上に設けられるテンキーであり、トラック切り替えキー３００に含まれる。トラックナンバキー３１０は、トラック５１０（５１１〜５１５）のトラックナンバ５１００（５１０１〜５１０５）に対応する数字を再生制御部４００に選択入力する。
【００１０】
スキップキー３２０は、データ再生装置Ａのパネルの面上及び図外のリモートコントロール装置の面上に設けられるキースイッチであり、トラック切り替えキー３００に含まれる。スキップキー３２０は、再生部１００により再生されるトラック５１０の設定を現在のトラック５１０から次のトラック５１０に移行するための信号を再生制御部４００に入力する。また、スキップキー３２０は、トラックナンバキー３１０と同時に入力操作されると、間引き再生モードのＯＮ／ＯＦＦを選択入力させるものとなる。
【００１１】
再生制御部４００は、マイコンからなり、ＣＰＵ４１０、メモリ４２０等が内蔵されている。入力ポートには、トラックナンバキー３１０及びスキップキー３２０が接続されている。また、この再生制御部４００には、駆動部２００が接続されている。再生制御部４００は、ＤＶＤ５００を駆動部２００によって回転させ、再生部１００の光ピックアップをトラックナンバキー３１０又はスキップキー３２０を通じて入力されたトラック５１０に移行してＤＶＤ５００を再生させる。
【００１２】
再生制御部４００のメモリ４２０には、図２が示す間引き再生モード割り込みプログラムが記憶されている。このプログラムが予め記憶されていることにより、再生制御部４００としての機能が発揮されるようになっている。
【００１３】
以下、マイコンにより処理される図２に示すプログラムの内容を説明する。トラックナンバキー３１０及びスキップキー３２０が同時に入力操作されると図２に示す間引き再生モード割り込みプログラムが処理される。以下、詳しく説明する。
【００１４】
まず、現在再生位置のトラック５１０のトラックナンバ５１００＜トラックナンバキー３１０により選択入力されたトラック５１０のトラックナンバ５１００であるか否かを判断する。（Ｓ１）。
その結果、現在再生位置のトラックナンバ５１００＜選択入力されたトラックナンバ５１００であると判断した場合、再生部１００により再生されるトラック５１０の設定を現在再生位置のトラック５１０から選択入力されたトラック５１０に移行する過程において両トラック５１０の間の各トラック５１０の一部のセクタを順次再生させる（Ｓ２）。間引き再生が終了するとステップ１の処理に戻る。
【００１５】
ステップ１において、現在再生位置のトラックナンバ５１００＜選択入力されたトラックナンバ５１００でないと判断した場合
即ち現在再生位置のトラックナンバ５１００≧選択入力されたトラックナンバ５１００である場合、
現在再生位置のトラックナンバ５１００＞選択入力されたトラックナンバ５１００であるか否かを判断する（Ｓ３）。
現在再生位置のトラックナンバ５１００＞選択入力されたトラックナンバ５１００であると判断した場合、
トラック５１０の設定を現在再生位置のトラック５１０から選択入力されたトラック５１０に移行する過程において両トラック５１０の間の各トラック５１０の一部のセクタを順次再生させる（Ｓ４）。間引き再生が終了するとステップ１の処理に戻る。
【００１６】
ステップ３において、
現在再生位置のトラックナンバ５１００＞選択入力されたトラックナンバ５１００でないと判断した場合
即ち現在再生位置のトラックナンバ５１００＝選択入力されたトラックナンバ５１００である場合、
間引き再生モード割り込みプログラムの処理を終了する。以下、具体的に説明する。
【００１７】
例えば、ステップ１において、現在再生位置のトラック５１０のトラックナンバを５１０１、選択入力されるトラック５１０のトラックナンバを５１０５とする。
【００１８】
まず、現在再生位置のトラック５１１のトラックナンバ５１０１がトラックナンバキー３１０により選択入力されたトラック５１５のトラックナンバ５１０５よりも小さいか否かを判断する。
その結果、現在再生位置のトラックナンバ５１０１＜選択されたトラックナンバ５１０５であり小さいと判断するので、
再生部１００により再生されるトラック５１０の設定を現在再生位置のトラック５１１から選択入力されたトラック５１５に移行する過程においてトラック５１１とトラック５１５の間のトラック５１２、トラック５１３、トラック５１４の一部のセクタをトラック５１２、トラック５１３、トラック５１４の順に再生させる。間引き再生が終了するとステップ１の処理に戻る。
【００１９】
次に例えば、ステップ１において、現在再生位置のトラック５１０のトラックナンバを５１０５、選択入力されるトラック５１０のトラックナンバを５１０１とする。
【００２０】
まず、現在再生位置のトラック５１５のトラックナンバ５１０５がトラックナンバキー３１０により選択入力されたトラック５１１のトラックナンバ５１０１より小さいか否かを判断する。
その結果、現在再生位置のトラックナンバ５１０５＞選択されたトラックナンバ５１０１であり大きいと判断するので、ステップ３を処理する。
【００２１】
ステップ３において、現在再生位置のトラック５１５のトラックナンバ５１０５がトラックナンバキー３１０により選択入力されたトラック５１１のトラックナンバ５１０１より大きいか否かを判断する
現在再生位置のトラック５１５のトラックナンバ５１０５＞選択入力されたトラック５１１のトラックナンバ５１０１であり大きいと判断するので、
再生部１００により再生されるトラック５１０の設定をトラック５１５からトラック５１１に移行する過程においてトラック５１５からトラック５１１の間のトラック５１４、トラック５１３、トラック５１２の一部のセクタをトラック５１４、トラック５１３、トラック５１２の順に再生させる。間引き再生が終了するとステップ１の処理に戻る。
【００２２】
上記のように構成されたデータ再生装置Ａによる場合、トラックナンバキー３１０とスキップキー３２０とを同時に押すと、間引き再生モードがＯＮと選択入力され、現在再生位置のトラック５１０のトラックナンバ５１１００とトラックナンバキー３１０を通じて選択入力されたトラック５１０のトラックナンバ５１００との大小が比較される。その結果、大きい場合、現在再生位置のトラック５１０から選択入力されたトラック５１０まで各トラック５１０の一部のセクタが順次スキップアップして再生される。小さい場合、現在再生位置のトラック５１０から選択入力されたトラック５１０まで各トラック５１０の一部のセクタが順次スキップダウンして再生される。
【００２３】
このように現在のトラック５１０から選択入力されたトラック５１０まで間引き再生を行うことから、結果として間引き再生の範囲をユーザーが設定することが可能となり便利である。また、現在のトラック５１０と選択入力されたトラック５１０との関係で間引き再生を行う方向が決定することから、通常とは反対に間引き再生をすることが可能となり、結果としてユーザーが間引き再生の方向を設定することが可能となる。
【００２４】
さらに、既存のキースイッチであるトラックナンバキー３１０及びスキップキー３２０を利用して間引き再生モードのＯＮ／ＯＦＦの選択入力を行っていることからハードウェアに変更はなく低コスト化及び高性能化を図る上でもメリットがある。
【００２５】
また、データ再生装置Ａの間引き再生モードのＯＮ／ＯＦＦを選択入力するスキップキー３２０を次のように設計変更してもかまわない。即ちスキップキー３２０だけに止まらず、他のキースイッチを用いて構成してもかまわない。また、データ再生装置Ａは間引き再生を行う入力部として既存のキースイッチを利用したが、間引き再生モードのＯＮ／ＯＦＦを選択入力する入力装置を新たに設けてもかまわない。
【００２６】
なお、本発明の実施の形態に係るデータ再生装置Ａによる場合、ＤＶＤ５００用のデータ再生装置だけに止まらず、ＣＤ、ＭＤ等の光学的記憶媒体、リムーバブルディスク等の磁気的記憶媒体等を再生させるデータ再生装置Ａにも適用可能である。
【００２７】
【発明の効果】
本発明の請求項１に係るデータ再生装置は、記憶媒体からデータを読み出し再生する再生部と、前記再生部により再生される記憶媒体のトラックの設定をトラックナンバとして選択入力するためのトラックナンバキーと、前記トラックの設定を現在のトラックから次のトラックに移行するためのスキップキーと、前記トラックナンバキー及び前記スキップキーが同時に入力操作されると、前記トラックの設定を現在のトラックから選択入力されたトラックに移行させ、この移行過程において両トラックの間の各トラックの一部のセクタを順次再生させる再生制御部とを具備する。
【００２８】
よって、本発明の請求項１に係るデータ再生装置による場合、現在のトラックから選択されたトラックまでの間引き再生を行うことから、結果として、間引き再生の範囲を設定することが可能となり。また、現在のトラックと選択入力されたトラックとの関係で間引き再生が行われる方向が決定することから、通常とは反対に間引き再生をすることが可能となり、結果としてユーザーが間引き再生の方向を設定することが可能となる。さらに、既存のキースイッチであるトラックナンバキー及びスキップキーを利用して間引き再生のＯＮ／ＯＦＦを選択入力することからハードウェアに変更はなく低コスト化及び高性能化を図る上でもメリットがある。
【００２９】
本発明の請求項２に係るデータ再生装置は、記憶媒体からデータを読み出し再生する再生部と、前記記憶媒体のトラックのうち再生すべきトラックを選択入力するためのトラック切り替えキーと、前記トラック切り替えキーを通じて前記トラックが選択入力されると、再生すべきトラックを現在のトラックから選択入力されたトラックに移行させ、この移行過程において両トラックの間の各トラックの一部のセクタを順次再生させる間引き再生機能を有する再生制御部とを具備する。
【００３０】
よって、本発明の請求項２に係るデータ再生装置による場合、現在のトラックから選択されたトラックまでの間引き再生を行うことから、結果として、間引き再生の範囲を設定することが可能となる。さらに、トラック切り替えキーを新たに設けることも可能であり、請求項１と比べて、操作性を向上させることが可能となる。
【００３１】
本発明の請求項３に係るデータ再生装置は、請求項１又は２記載のデータ再生装置において、前記再生制御部は、前記トラックの一部のセクタを再生させる場合に、そのトラックの内容が容易に把握することが可能な時間だけ前記トラックの一部のセクタを再生させるようになっている。
【００３２】
よって、本発明の請求項３に係るデータ再生装置による場合、前記トラックの一部のセクタを再生させるだけで、当該トラックに記憶された内容を容易に把握することができる。
【図面の簡単な説明】
【図１】図１は、本発明の実施の形態に係るデータ再生装置のブロック図である。
【図２】図２は、同データ再生装置のマイコンにより処理される間引き再生モード割り込みプログラムのフローチャートである。
【符号の説明】
１００  再生部
３１０  トラックナンバキー
３２０  スキップキー
４００  再生制御部
【図１】
0003596002.tif 000002
【図２】
0003596002.tif 000003